(57)【要約】【課題】            衣服の形態とした後でも、表面と裏面とに異なる刺繍を施すことが可能なリバーシブル衣服を提供することを目的とする。【解決手段】        少なくとも表面用生地と裏面用生地とを含む二層以上で構成されるリバーシブル衣服において、衣服表面又は衣服裏面に刺繍ミシン挿入用の開口部と前記開口部を開閉自在とする係止具とを有することを特徴とするリバーシブル衣服である。また、前記リバーシブル衣服が上衣であり、前記開口部が脇線部に配置されていることを特徴とするリバーシブル衣服である。【選択図】          図２
2006200056.tif 000002
【特許請求の範囲】
【請求項１】
少なくとも表面用生地と裏面用生地とを含む二層以上で構成されるリバーシブル衣服において、衣服表面又は衣服裏面にミシン挿入用の開口部と前記開口部を開閉自在とする係止具とを有することを特徴とするリバーシブル衣服。
【請求項２】
前記リバーシブル衣服が上衣であり、前記開口部が脇線部に配置されていることを特徴とする請求項１に記載のリバーシブル衣服。
【請求項３】
前記衣服表面又は衣服裏面の少なくとも一方に刺繍を施したことを特徴とする請求項１又は２に記載のリバーシブル衣服。
【発明の詳細な説明】
【技術分野】
【０００１】
本発明は衣服に関するものであり、詳細にはリバーシブルと称される衣服において、衣服の形態とした後に、表面生地と裏面生地とに異なる刺繍が可能な上着に関するものである。
【背景技術】
【０００２】
従来よりリバーシブルと称され、表面と裏面との両方を兼用できる衣服が広く知られている。この形態の衣服は、表面と裏面とのデザインや色彩を変化させることで、必要に応じて両面を使い分けることが可能となっている。このようなリバーシブル衣服には、表面素材と裏面素材とを１枚の生地素材で構成し、表面と裏面に異なる色彩やデザインを施して両面使用可能とした衣服と、表面用の生地素材と裏面用の生地素材とをそれぞれ別々の生地素材で構成し、それぞれの生地素材に異なるデザインや色彩を施して両者を縫製等で一体化し両面使用可能とした衣服がある。
特許文献１には、片面がシングルブレスト型、もう片面がダブルブレスト型で着用できる両面兼用可能なリバーシブルの衣服が開示されている。
【特許文献１】特開平１０−２７３８０７号公報
【発明の開示】
【発明が解決しようとする課題】
【０００３】
しかしながら、前記従来技術に記載のリバーシブル衣服では、衣服の形態とした後に、文字や模様の表す方法として刺繍を用いることは不可能であった。すなわち、表面に刺繍を施そうとした場合、刺繍用の糸が表面生地だけでなく裏面生地も貫通してしまうので、裏面にも刺繍用の糸が現出してしまう。従って、表面と裏面とに別々の刺繍を施そうとする場合は、衣服の形態とする前に、表面用の生地素材と裏面用の生地素材のそれぞれに、あらかじめ刺繍を施し、その後に衣服の形態とする工程を行う必要があった。
そこで、本発明に係る衣服では、前記従来技術の不具合を解消し、表面用生地と裏面用生地との二層構造で構成されるリバーシブル衣服において、衣服の形態とした後でも、表面と裏面とに異なる刺繍を施すことが可能なリバーシブル衣服を提供することを目的とする。
【課題を解決するための手段】
【０００４】
本発明の衣服は、少なくとも表面用生地と裏面用生地とを含む二層以上で構成されるリバーシブル衣服において、衣服表面又は衣服裏面に刺繍ミシン挿入用の開口部と前記開口部を開閉自在とする係止具とを有することを特徴とするリバーシブル衣服である。
また、前記リバーシブル衣服が上衣であり、前記開口部が脇線部に配置されていることを特徴とするリバーシブル衣服である。
また、前記衣服表面又は衣服裏面の少なくとも一方に刺繍を施したことを特徴とするリバーシブル衣服である。
【発明の効果】
【０００５】
本発明のリバーシブル衣服は、少なくとも表面用生地と裏面用生地とを含む二層以上で構成され、衣服表面又は衣服裏面に刺繍ミシン挿入用の開閉自在な開口部を有しており、そこから刺繍ミシンを挿入することで、表面又は裏面の少なくとも一方に刺繍を施す場合、刺繍を施す面の生地にだけ刺繍することが可能であるので、もう一方の生地には刺繍による影響（刺繍糸が貫通する等）を与えることがない。
【発明を実施するための最良の形態】
【０００６】
以下、図面を用いて本発明に係る衣服を詳細に説明する。図１は本発明の実施の形態を示した正面図、図２は開口部を開いた状態の斜視図である。
上衣１は表面用生地１０と裏面用生地２０の二層で構成されるリバーシブル衣服である。視覚的に分かりやすくするために表面用生地１０を斜線模様、裏面用生地２０を水玉模様で示す。
表面用生地１０と裏面用生地２０は通常の衣服に用いられる素材で構成されていればよく特に限定はされない。必要に応じて任意の素材で構成することが可能であるので、例えば夏用の衣服であれば清涼感や通気性に優れた素材、冬用であれば発熱性や保温性に優れた素材等を用いればよい。
【０００７】
上衣１は、表面側前身頃１１、表面側後身頃１２、左右の表面側袖部１３、裏面側前身頃２１、裏面側後身頃２２、左右の裏面側袖部、襟部分３０、裾部分３１及び袖先部分３２で構成される。襟部分３０、裾部分３１及び袖先部分３２は表面裏面共通の部材である。まず前記の各部材を縫着、接着等で一体化し上衣の形態とする。そして、上衣表面側の脇線部４０に開口部４１と開口部を開閉自在とする係止具４２を設ける。係止具としては、ファスナー、面ファスナー、ボタン等が可能である。
また、開口部４１の大きさは、少なくとも刺繍ミシンを挿入可能な大きさが必要である。具体的には幅にして１５ｃｍ〜３０ｃｍ程度が適当である。
【０００８】
前記のように構成することで、衣服としての形態が出来上がった状態でも、開口部からの刺繍ミシンの挿入が可能となる。従って、前記衣服表面又は衣服裏面のどちらか一方に文字や模様の刺繍、又はワッペン等の縫着を行う場合に、一方の面単独での縫製作業が可能であり、もう一方の面に刺繍用の糸が貫通し現出するといった不具合が解消される。
【０００９】
上衣１では表面側の脇線部４０に開口部４１を設けたが、開口部は裏面側に設けてもよいし、設ける場所も脇線部４０に限らず袖部等他の部位に設けてもよい。また複数の開口部を設けることも可能である。
【００１０】
図１では、前身頃が左右連続で構成されたかぶり型の上衣を示したが、本発明の衣服はそれに限定されるものではなく、前身頃の中央部に開閉用のファスナーやボタンを設けた開閉型の上衣とすることもできる。また袖部のないベスト型の上衣とすることも可能である。
【００１１】
上衣１は表面と裏面の二層のみの構成に限らず、両者の間に中間層を用いることも可能である。
【００１２】
前記の実施の形態では上衣について説明したが、本発明の衣服によれば、下衣についても同様に、表面と裏面とをそれぞれ別々の生地を用いて二層以上で構成し、係止具を有する開閉自在な開口部を設けて、そこから刺繍ミシンを挿入し、表面又は裏面の少なくとも一方に刺繍を施すことが可能である。この場合においても、一方の生地に刺繍による影響を与えることなく、片面の生地にのみ刺繍が可能となる。
【図面の簡単な説明】
【００１３】
【図１】図１は本発明の実施の形態を示した正面図である。
【図２】図２は開口部を開いた状態の斜視図である。
【符号の説明】
【００１４】
上衣  １
表面用生地  １０
裏面用生地  ２０
表面側前身頃  １１
表面側後身頃  １２
表面側袖部  １３
裏面側前身頃２１
裏面側後身頃２２
襟部分  ３０
裾部分  ３１
袖先部分  ３２
脇線部  ４０
開口部  ４１
係止具  ４２
【図１】
2006200056.tif 000003
【図２】
2006200056.tif 000004